(57)【要約】【課題】チルト調心時におけるシフト量の変化を低減しかつコンパクトな光軸調整装置を提供する。【解決手段】光軸調整装置２００を、光学素子１３３ａと、光学素子１３３ａの外径側に配置された固定部２１０と、固定部２１０と光学素子１３３ａの外周縁部２２０とにわたして設けられ、光学素子１３３ａをその光軸を調整可能に支持する複数の支持部２３０，２４０とを備え、支持部２３０，２４０は、光学素子１３３ａを、固定部２１０に対して、この支持部２３０，２４０を通り光軸と略直交する軸回りに回転可能に支持し、かつ、光学素子１３３ａの外周縁部２２０を光軸方向に変位させて光学素子１３３ａの光軸を、この光軸及びこの支持部２３０，２４０を含む面上で傾斜可能に支持するようにする。【選択図】図２
2006078873.tif 000002
【特許請求の範囲】
【請求項１】
光学素子と、
前記光学素子の外径側に配置された固定部と、
前記固定部と前記光学素子の外周縁部とにわたして設けられ、前記光学素子をその光軸を調整可能に支持する複数の支持部と
を備える光軸調整装置において、
前記支持部は、前記光学素子を、前記固定部に対して、この支持部を通り前記光軸と略直交する軸回りに回転可能に支持し、かつ、前記光学素子の前記外周縁部を前記光軸方向に変位させて前記光学素子の前記光軸を、前記光軸及びこの支持部を含む面上で傾斜可能に支持すること
を特徴とする光軸調整装置。
【請求項２】
請求項１に記載の光軸調整装置において、
前記複数の支持部は、
前記光学素子の前記外周縁部を、その少なくとも一部の弾性変形によって、前記固定部に対して、前記光軸方向に変位可能に支持する弾性支持部と、
前記光学素子の前記外周縁部を、前記固定部に対して、前記光軸方向に位置を変えない剛体支持部とをそれぞれ含むこと
を特徴とする光軸調整装置。
【請求項３】
請求項２に記載の光軸調整装置において、
前記複数の支持部は、前記光学素子の前記光軸と略直交する第１の軸上、及び、前記光軸及び前記第１の軸とそれぞれ略直交する第２の軸上のそれぞれに、前記光軸を挟んで１対ずつ配置されること
を特徴とする光軸調整装置。
【請求項４】
請求項３に記載の光軸調整装置において、
前記弾性支持部と前記剛体支持部とを、前記第１の軸上及び前記第２の軸上にそれぞれ前記光軸を挟んで配置したこと
を特徴とする光軸調整装置。
【請求項５】
請求項２から請求項４までのいずれか１項に記載の光軸調整装置において、
前記剛体支持部は、その軸心が前記光学素子の光軸方向に対して略直交する方向に沿って配置された偏心カム機構を備えること
を特徴とする光軸調整装置。
【発明の詳細な説明】
【技術分野】
【０００１】
本発明は、レンズ等の光学素子を有する光学系の光軸調整に用いる光軸調整装置に関するものである。
【背景技術】
【０００２】
カメラ用の撮影レンズ鏡筒等の光学系は、通常複数枚のレンズを含むレンズ群を備えている。
このような光学系において、解像力等の光学性能を確保するため、光学系に含まれる一部の調整用レンズの位置を調整することが知られている。このような調整は、「調心」と通称されている。
【０００３】
調整用レンズの位置の調整は、その光軸方向を平行に保ちながら光軸と直交する方向にレンズを移動させる「シフト」と、その光軸方向を傾斜させる「チルト」とがあり、これらは同時に又は独立して調整される。
【０００４】
上述したシフト量を調整する場合は、調整用レンズを光軸と略直交方向へ平行に移動すれば、チルト量に与える影響は軽微である。
しかし、チルト量を調整する場合は、調整用レンズを回転させる回転中心の位置によって、望ましくないシフト量の変化が生じる場合がある。
【０００５】
図４は、チルト調心を行なう場合の回転中心によるシフト成分の違いを示す模式図である。図中、二点鎖線、実線、破線で図示した調整用レンズ５００は、それぞれチルトしていない状態、調整用レンズ５００から光軸方向に離れた回転中心回りにチルトした場合、調整用レンズ５００と略一致した位置にある回転中心回りにチルトした場合をそれぞれ示している。
ここで、調整用レンズ５００から離れた回転中心回りにチルトした場合と、調整用レンズ５００と略一致した回転中心回りにチルトした場合とを比較すると、両者ともチルト角度は同じであるが、前者は調整用レンズ５００の中心５０１のもとの光軸５０２からの移動量（シフト量）が大きいことがわかる。
このようなシフトは、光学系の諸元によっては、光学性能の低下をもたらす場合がある。
【０００６】
従来、このようなチルト調心時におけるシフト成分の変化を低減するため、調整用レンズをいわゆるジンバル機構によって保持したものが知られている（例えば、特許文献１を参照。）。
このジンバル機構は、保持枠に収容された調整用レンズの外径側に、同心円状に内径側から順に配置された第１及び第２の枠体を設け、保持枠と第１の枠体との間、及び、第１の枠体と第２の枠体との間を、枠体と一体形成され、弾性変形可能な連結部材によって連結し、調整用レンズがそれぞれ光軸と直交する直交２軸回りにチルト可能としたものである。
【０００７】
上述したジンバル機構を用いると、チルト動作の回転中心を調整用レンズの位置に近づけられるから、チルト調心時に生ずるシフト量の変化を低減することができる。
しかし、このようなジンバル機構は、調整用レンズの保持枠の外径側に第１の枠体を備え、さらにその外径側に第２の枠体を備えているから、その外径が大型化してしまう。
【０００８】
また、連結部材は、枠体と一体に形成されているから、連結部材を変形させる荷重が枠体及び保持枠に伝播され、枠体、保持枠の変形が生じるおそれがある。この場合、調整用レンズのチルトの回転中心は不定となるから、精度のよい調心は困難となり、また、チルト調心に伴い発生するシフト量の変化を低減することも困難となる。
【特許文献１】特開２０００−１９３８６９号公報
【発明の開示】
【発明が解決しようとする課題】
【０００９】
本発明の課題は、チルト調心時におけるシフト量の変化を低減しかつコンパクトな光軸調整装置を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、光学素子（１３３ａ）と、前記光学素子の外径側に配置された固定部（２１０）と、前記固定部（２１０）と前記光学素子（１３３ａ）の外周縁部とにわたして設けられ、前記光学素子（１３３ａ）をその光軸を調整可能に支持する複数の支持部（２３０，２４０）とを備える光軸調整装置において、前記支持部（２３０，２４０）は、前記光学素子（１３３ａ）を、前記固定部（２１０）に対して、この支持部（２３０，２４０）を通り前記光軸と略直交する軸回りに回転可能に支持し、かつ、前記光学素子（１３３ａ）の前記外周縁部を前記光軸方向に変位させて前記光学素子（１３３ａ）の前記光軸を、前記光軸及びこの支持部（２３０，２４０）を含む面上で傾斜可能に支持することを特徴とする光軸調整装置である。
請求項２の発明は、請求項１に記載の光軸調整装置において、前記複数の支持部（２３０，２４０）は、前記光学素子（１３３ａ）の前記外周縁部を、その少なくとも一部の弾性変形によって、前記固定部（２１０）に対して変位可能に支持する弾性支持部（２４０）と、前記光学素子（１３３ａ）の前記外周縁部を、前記固定部（２１０）に対して、前記光軸方向に位置を変えない剛体支持部（２３０）とをそれぞれ含むことを特徴とする光軸調整装置である。
請求項３の発明は、請求項２に記載の光軸調整装置において、前記複数の支持部（２３０，２４０）は、前記光学素子（１３３ａ）の前記光軸と略直交する第１の軸上、及び、前記光軸及び前記第１の軸とそれぞれ略直交する第２の軸上のそれぞれに、前記光軸を挟んで１対ずつ配置されることを特徴とする光軸調整装置である。
請求項４の発明は、請求項３に記載の光軸調整装置において、前記弾性支持部（２４０）と前記剛体支持部（２３０）とを、前記第１の軸上及び前記第２の軸上にそれぞれ前記光軸を挟んで配置したことを特徴とする光軸調整装置である。
請求項５の発明は、請求項２から請求項４までのいずれか１項に記載の光軸調整装置において、前記剛体支持部（２３０）は、その軸心が前記光学素子の光軸方向に沿って配置された偏心カム機構を備えることを特徴とする光軸調整装置である。
【発明の効果】
【００１１】
本発明によれば、以下のような効果を奏することができる。
（１）光学素子は、その外周縁部に設けられた支持部を通る回転軸回りに回転するから、チルト調心時におけるシフト量の変化を低減することができる。
（２）支持部は、光学素子の固定部に対する複数の軸方向の回転を許容するから、ジンバル機構等のように光学素子の外径側に相互に移動する複数の枠体を設ける必要がなく、光軸調整装置をコンパクトにすることができる。
（３）弾性支持部と剛体支持部とを組み合わせて光学素子を支持しているから、剛体支持部のみ調整すれば、弾性支持部は剛体支持部の変位に応じて静定するから、調整が簡単である。
【発明を実施するための最良の形態】
【００１２】
本発明は、調整用レンズの外周縁部に備えられた可動レンズホルダを、基盤レンズホルダに対してその支持部を通りかつ光軸と直交する軸回りに回転可能に支持し、かつ、可動レンズホルダを光軸方向に変位可能なカム機構部及び弾性支持部によって支持することによって上述した解決する。
【実施例】
【００１３】
図１は本発明を適用した光軸調整装置の実施例を備えたカメラの構成を示す図である。
このカメラ１００は、例えば、デジタルスチルカメラであって、ボディ１１０と、レンズ鏡筒１２０と、レンズ鏡筒に収容されたレンズ群１３０とを備えている。
ボディ１１０は、略矩形の箱状に形成され、その一面にレンズ鏡筒１２０の像側の端部が挿入される開口１１１が形成されている。また、ボディ１１０は、その内部に、レンズ鏡筒１２０内のレンズ群１３０によって結像される像を取得する撮像素子１１２を備えている。
【００１４】
レンズ鏡筒１２０は、略円筒状に形成され、その像側の端部は、開口１１１を介してボディ１１０の内部に挿入されている。
また、レンズ鏡筒１２０は、その内径側に、固定筒１２１及びカム筒１２２（図１では図示しない。図２を参照。）とを有する。これらについては、後に詳述する。
【００１５】
レンズ群１３０は、その光軸をレンズ鏡筒１２０の軸と略一致させて配置され、その対物側から順に、第１レンズ群１３１、第２レンズ群１３２、第３レンズ群１３３、第４レンズ群１３４を備えている。また、第３レンズ群１３３は、第２レンズ群１３２側に設けられた調整用レンズ群１３３ａと、第４レンズ群側に設けられた固定レンズ群１３３ｂとを有する。
調整用レンズ群１３３ａは、光軸調整装置２００（図１では図示しない。図２、図３を参照。）によって、チルト調心が可能に支持されている。この光軸調整装置については、後に詳しく説明する。
さらに、調整用レンズ群１３３ａは、第２レンズ群１３２側に設けられた前側レンズ１３５と、固定レンズ群１３３ｂ側に設けられた後側レンズ群１３６とを有する。
また、第２レンズ群１３２と第３レンズ群１３３との間には、レンズ群１３０を通過する光量を規制する絞り部１３７が設けられている。
【００１６】
図２は、本実施例の光軸調整装置の拡大断面図であって、光軸方向と直交する方向から見た図である。図２において、図２（ａ）は、レンズ群１３０の光軸方向を水平とし、正位置方向時における横方向から見た状態を示す図である。また、図２（ｂ）は、図２（ａ）のｂ−ｂ部矢視図である。図３は、図２のIII−III部矢視図である。
なお、理解を容易にするために、図２、図３に示すように、以下の通りＸ−Ｙ−Ｚの３軸直交座標系を用いて説明する。また、「光軸」とは、特記しない限り、チルト調心を行なわない場合の光軸を指すものとする。
Ｘ軸：光軸と直交する軸
（例えば、正位置撮影時における水平方向）
Ｙ軸：光軸及びＸ軸方向と直交する軸
（例えば、正位置撮影時における鉛直方向）
Ｚ軸：光軸を含む軸
【００１７】
図２に示すように、光軸調整装置２００は、基盤レンズホルダ２１０と、可動レンズホルダ２２０と、カム機構部２３０と、弾性支持部２４０とを備えている。
また、光軸調整装置２００は、図２においては図示しないレンズ鏡筒１２０内に設けられた固定筒１２１及びカム筒１２２の内径側に配置されている。固定筒１２１とカム筒１２２は、略同心に設けられ、固定筒１２１は、その外周面がカム筒１２２の内周面と微小な間隔を隔てて対向するように、カム筒１２２内に挿入され、焦点距離を変更するズーミングや、焦点合わせを行なう際にもレンズ鏡筒１２０に対して移動しないようになっている。固定筒１２１は、レンズ鏡筒１２０に対して固定されており、カム筒１２２は、例えばズーミング操作等に応じて、その軸回りに回転し、所定のレンズ群を光軸方向に沿って移動させるものである。
【００１８】
基盤レンズホルダ２１０は、枠部２１１と、カム機構部支柱２１２と、弾性支持部支柱２１３と、カムフォロワピン２１４と、カムフォロワピン装着口２１５とを備え、カム筒１２２がその軸回りに回転したときに、その内周面に形成されたカム溝１２２ａによって、レンズ鏡筒１２０の光軸方向に沿って平行に移動するものである。
枠部２１１は、第３レンズ群１３３の固定レンズ群１３３ｂがその中央部に固定され、保持される円環状の保持枠である。
カム機構部支柱２１２及び弾性支持部支柱２１３は、それぞれカム機構部２３０及び弾性支持部２４０が支持される支柱であり、枠部２１１の対物側の端面から、対物側に向けて突き出して形成されている。
カムフォロワピン２１４は、例えばポリアセタール等の耐摩耗性及び固体潤滑性のある材料によって、円柱状に形成され、その軸方向をレンズ鏡筒１２０の径方向に沿って配置されており、内径側の端部は、枠部２１１の外周面に固定され、外径側の端部は、カム筒１２２のカム溝１２２ａに挿入されている。
なお、固定筒１２１には、カムフォロワピン２１４が貫通しかつレンズ鏡筒１２０の軸方向に沿って移動することを許容する直進ガイド溝１２１ａが形成されている。
図３に示すように、カムフォロワピン２１４は、レンズ鏡筒１２０の光軸回りに例えば１２０°ずつ位相をずらした位置に１本ずつが配置されている。
カムフォロワピン装着口２１５は、カムフォロワピン２１４の一端が圧入されるものであり、枠部２１１の外周面を凹ませて形成されている。
【００１９】
可動レンズホルダ２２０は、枠部２２１と、フランジ部２２２とを備えている。
枠部２２１は、第３レンズ群の調整用レンズ群１３３ａを構成するレンズ１３５，１３６を収容し、保持する円環状の保持枠である。
フランジ部２２２は、枠部２２１の外周面からつば状に張り出して形成されている。
【００２０】
カム機構部２３０は、カム機構によって、基盤レンズホルダ２１０と可動レンズホルダ２２０との間の光軸方向に沿った距離を調整し、位置決めするものである。
カム機構部２３０は、図３に示すように、Ｘ軸上（対物側からみて正位置撮影時における右側）、Ｙ軸上（同、下側）にそれぞれ１つずつ配置されている。以下、Ｘ軸上のものをカム機構部２３０Ｘとし、Ｙ軸上のものをカム機構部２３０Ｙと称して説明する。
【００２１】
図２に示すように、カム機構部２３０は、ガイド部材２３１と、偏心ブッシュ２３２と、偏心ブッシュ固定ボルト２３３と、可動レンズホルダ固定ボルト２３４とを有する。
ガイド部材２３１は、基盤レンズホルダ２１０のカム機構部支柱２１２と、可動レンズホルダ２２０のフランジ部２２２とにわたして設けられ、これらを接続する部材である。ガイド部材２３１は、矩形のプレートをＬ字状に折り曲げて形成され、その一方の端部は、カム機構部支柱２１２の、レンズ鏡筒１２０の光軸に対して外径側の面に沿って配置されている。また、ガイド部材２３１の他方の端部は、内径側に折り曲げられて、フランジ部２２２の対物側の面に固定されている。
また、ガイド部材２３１のカム機構部支柱２３１に沿って配置されている領域には、その長軸方向がレンズ鏡筒１２０の周方向に沿って配置された長円状の開孔２３１ａが形成されている。
【００２２】
偏心ブッシュ２３２は、その軸心が光軸Ｏに対して直交する直線に沿って配置され、ガイド部材２３１の開孔に挿入されている。偏心ブッシュ２３２の外周面は略真円状に形成され、この外周面に対して偏心して設けられた通孔が形成されている。
偏心ブッシュ固定ボルト２３３は、偏心ブッシュ２３２に挿入され、これを固定するものであって、ガイド部材２３１に形成されたネジ部に対してネジ結合されるものである。
なお、偏心ブッシュ固定ボルト２３３を固定した状態において、ガイド部材２３１は、その開孔２３１ａの内周面と偏心ブッシュ２３２の外周面との摺動によって、偏心ブッシュ２３２の外周面の中心軸回りに回転可能となっている。
可動レンズホルダ固定ボルト２３４は、ガイド部材２３１のフランジ部２２２側の端部を、このフランジ部にネジ結合によって固定するものであり、１つのカム機構部２３０につき２本が、レンズ鏡筒１２０の周方向に並べて配置されている。
【００２３】
弾性支持部２４０は、その弾性部材の変形によって、基盤レンズホルダ２１０に対して可動レンズホルダ２２０を支持し、これらの間の光軸方向に沿った距離の変化を吸収するものである。
弾性支持部２４０は、図３に示すように、Ｘ軸上及びＹ軸上にそれぞれ１つずつ配置されている。また、Ｘ軸上及びＹ軸上には、上述したカム機構部２３０と、この弾性支持部２４０とが、それぞれ１つずつ光軸を挟んで対になって設けられている。以下、Ｘ軸上のものを弾性支持部２４０Ｘとし、Ｙ軸上のものを弾性支持部２４０Ｙと称して説明する。
【００２４】
図２に示すように、弾性支持部２４０は、スプリング２４１と、スプリング２４２と、スプリングシート２４３と、ボルト２４４とを備えている。
スプリング２４１は、コイルスプリングであって、その中心軸を光軸方向と略平行にした状態で基盤レンズホルダ２１０の弾性支持部支柱２１３の先端面と、可動レンズホルダ２２０のフランジ部２２２の光軸方向像側の面との間に配置される。
スプリング２４２もまたコイルスプリングであって、その中心軸をスプリング２４１と略同心として、可動レンズホルダ２２０のフランジ部２２２の光軸方向対物側の面に一端側を接して配置される。
スプリング２４１，２４２は、材質、線径、巻数、バネ定数等の特性が略一致されており、バネ定数は、後述するチルト調心時の撓み量変化に対して付勢力の変化が無視できる程度に十分小さく設定されている。
【００２５】
スプリングシート２４３は、スプリング２４２のフランジ２２２と接する側と反対側の端部を保持するものであり、その中央部に開孔を有する円盤状に形成されている。
ボルト２４４は、弾性支持部２４０の光軸方向対物側から、スプリングシート２４３の開孔、スプリング２４２の内径側、フランジ部２２２、スプリング２４１の内径側を順次貫通し、その先端部を弾性支持部支柱２１３に形成されたネジ部に固定される段付ボルトである。ボルト２４４は、その段部が弾性支持部支柱２１３に接するまで締めこんだときに、スプリング２４１，２４２が、その縮みきらない所定の長さとなるようになっている。
なお、フランジ部２２２は、このボルト２４４が通される開孔２２２ａを有し、この開孔２２２ａの内径は、ボルト２４４の外径よりも大きく形成され、ボルト２４４が挿入された状態において、その外周面と開孔２２２ａの内周面との間に隙間が形成されるようになっている。
なお、ボルト２４４を固定した状態において、スプリング２４１及びスプリング２４２は、その自然長よりやや縮められ、所定のプリロードが負荷された状態となる。
【００２６】
＜チルト調心時における光軸調整装置の動作について＞
以下、上述した本実施例の光軸調整装置２００の動作について説明する。
光軸調整装置２００は、Ｘ軸及びＺ軸を含む平面内、及び、Ｙ軸及びＺ軸を含む平面内においてそれぞれ調整用レンズ群１３３ａを回転させ、チルト調整することができるが、ここでは、後者の平面内での回転（Ｘ軸回りの回転）動作について説明する。
このチルト調整は、カム機構部２３０Ｙの偏心ブッシュ２３２を回転させ、このカム機構部２３０Ｙが設けられた部分において、基盤レンズホルダ２１０と、可動レンズホルダとの間の光軸方向の距離を変化させることによって行なう。
【００２７】
はじめに、レンズ鏡筒１２０の側壁に設けられた図示しない開孔から、レンズ鏡筒１２０内に工具を挿入し、この工具によってカム機構部２３０Ｙの偏心ブッシュ固定ボルト２３３を緩め、偏心ブッシュ２３２が回転可能な状態にする。
次に、偏心ブッシュ２３２を偏心ブッシュボルト２３４の軸回りに回転させる。これによって、図２（ｂ）に示すように、このカム機構部２３０Ｙの部分における基盤レンズホルダ２１０と可動レンズホルダ２２０との光軸方向に沿った距離がΔだけ変化する。これによって、可動レンズホルダ２２０は、カム機構部２３０Ｘと、弾性支持部２４０Ｘとを結ぶ方向に沿って延在する回転軸回りに回転する。
【００２８】
通常のチルト調心は、可動レンズホルダ２２０が回転する角度（調整用レンズ群１３３ａの光軸の傾斜角）が、例えば約±１０分の範囲内で行なわれる。
可動レンズホルダ２２０が基盤レンズホルダ２１０に対して回転することに伴い、その両端部をこれらにそれぞれ固定されたカム機構部２３０Ｙのガイド部材２３１は曲げを受けることになるが、回転角度が微小なため、ガイド部材２３１の弾性変形域で吸収することができる。
なお、偏心ブッシュ２３２を回転させると、その外周面である円筒面の中心は、光軸方向だけではなく、周方向にも変位する。しかし、この場合、偏心ブッシュ２３２がガイド部材２３１の開孔２３１ａの長手方向に沿って相対移動するから、この変位によって可動レンズホルダ２２０を光軸回りに回転させる回転モーメントは生じない。
【００２９】
このとき、カム機構部２３０Ｘでは、可動レンズホルダ２２０の回転に伴い、その偏心カム２３２の外周面と、ガイド部材２３１の開孔２３１ａの内周面との間が摺動する。
また、弾性支持部２４０Ｘでは、ボルト２４４に対してフランジ部２２２が捻られるが、フランジ部２２２に設けられた開孔２２２ａの内径がボルト２４４の外径に対して大きいので、ボルト２４４とフランジ部２２２とが干渉せず、スプリング２４１，２４２の曲がりによってこの捻れは吸収される。
【００３０】
弾性機構部２４０Ｙは、スプリング２４１，２４２の伸縮によって、カム機構部２３０Ｙにおける可動レンズホルダ２２０の基盤レンズホルダ２１０に対する光軸に沿った方向の変位Δと同じ量だけ、反対側へ可動レンズホルダ２２０を基盤レンズホルダ２１０に対して変位させる。
例えば、カム機構部２３０Ｙが、基盤レンズホルダ２１０に対して可動レンズホルダ２２０を光軸方向対物側にΔだけ変位させた場合、弾性支持部２４０Ｙでは、スプリング２４１，２４２が弾性変形し、この変位量Δと略同量だけ、可動レンズホルダ２２０が基盤レンズホルダ２１０側に変位した状態で静定する。
【００３１】
なお、上述した例では、Ｙ軸及びＺ軸を含む平面内における調整用レンズ群１３３ａの回転（Ｘ軸回りの回転）を伴うチルト量調整について説明したが、カム機構部２３０Ｙの変わりにカム機構部２３０Ｘを調整することによって、Ｘ軸及びＺ軸を含む平面内における回転（Ｙ軸回りの回転）を伴うチルト量調整についても同様に行なうことができる。
【００３２】
以上のように、本実施例によれば、調整用レンズ群１３３ａを収容する可動レンズホルダ２２０は、その外周縁部に備えられたカム機構部２３０及び弾性支持部２４０を通る軸回りに回転するから、チルト調心をする際にシフト量変化が生ずることを防止できる。
また、カム機構部２３０及び弾性支持部２４０は、それぞれ可動レンズホルダ２２０のＸ軸及びＹ軸の２軸回りの回転を許容するから、可動レンズホルダ２２０と基盤レンズホルダ２１０以外に枠体を設ける必要がなく、光軸調整装置２００の外径がコンパクトである。
さらに、カム機構部２３０と弾性支持部２４０とが光軸を挟んで対になり配置されているから、１軸回りのチルト量を調整する場合は１箇所のカム機構部２３０のみ調整すれば、反対側の弾性支持部２４０はその弾性変形により静定するから、調整作業が容易である。
【００３３】
（変形例）
なお、本発明は、上述した実施例によって限定されるものではなく、種々の変形や変更が可能であって、それらも本発明の均等の範囲内である。
（１）実施例は、レンズ非交換式のデジタルスチルカメラであるが、本発明はこれに限定されず、レンズ交換式のデジタルカメラ、ムービーカメラ、フィルムカメラ等の撮影光学系や、単眼鏡、双眼鏡等の光学系にも適用することができる。
（２）実施例は、光軸に対しそれぞれ垂直な直交２軸上にそれぞれ１対のカム機構部及び弾性支持部を設けているが、カム機構部及び弾性支持部の配置は、これに限定されず、チルト調心作業が煩雑にならない範囲で周方向にオフセットして配置してもよい。
（３）実施例の弾性支持部は、可動レンズホルダを光軸方向に挟んで２本のコイルスプリングを配置しているが、弾性部材の種類や配置はこれに限定されず、可動レンズホルダを基盤レンズホルダに対して、その弾性変形によって光軸方向に変位可能に支持し、かつ、その弾性支持部周りに回転可能に支持するものであれば、他の構成であってもよい。例えば、弾性部材として、ゴムやスプリングワッシャ等を用いてもよい。
【図面の簡単な説明】
【００３４】
【図１】本発明を適用した光軸調整装置の実施例を備えたカメラの構成を示す図である。
【図２】図１のカメラの光軸調整装置を光軸方向から見た図である。
【図３】図２のIII−III部矢視図である。
【図４】チルト調心を行なう場合の回転中心によるシフト成分の違いを示す模式図である。
【符号の説明】
【００３５】
１００    カメラ
１１０    ボディ
１１１    開口
１１２    撮像素子
１２０    レンズ鏡筒
１２１    固定筒
１２２    可動筒
１３０    撮影用レンズ群
１３１    第１レンズ群
１３２    第２レンズ群
１３３    第３レンズ群
１３３ａ  調整用レンズ群
１３３ｂ  固定レンズ群
１３４    第４レンズ群
１３５    レンズ
１３６    レンズ
１３７    絞り部
２００    光軸調整装置
２１０    基盤レンズホルダ
２１１    枠部
２１２    カム機構部支柱
２１３    弾性支持部支柱
２１４    カムフォロワピン
２１５    カムフォロワピン装着口
２２０    可動レンズホルダ
２２１    枠部
２２２    フランジ部
２３０    カム機構部
２３１    ガイド部材
２３２    偏心ブッシュ
２３３    偏心ブッシュ固定ボルト
２３４    可動レンズホルダ固定ボルト
２４０    弾性支持部
２４１    スプリング
２４２    スプリング
２４３    スプリングシート
２４４    ボルト
【図１】
2006078873.tif 000003
【図２】
2006078873.tif 000004
【図３】
2006078873.tif 000005
【図４】
2006078873.tif 000006